(57)【要約】【課題】複数の記録媒体に記憶されているファイルを容易に整理可能とするデータ処理装置を提供すること。【解決手段】複数の記録媒体に記録されたファイルを、例えばその記録日によって並び替え、各記録媒体の最大記録容量を考慮して格納し直す。【選択図】  図２
2004287788.tif 000002
【特許請求の範囲】
【請求項１】
複数の記録媒体の各々について、最大記録容量と、記録されているファイルに関する情報とを取得する情報取得手段と、
前記ファイルに関する情報に基づいて、前記複数の記録媒体に記録されているファイルの記録順序を決定する並び替え手段と、
前記記録順序と前記各記録媒体の最大記録容量とに基づいて、前記各記録媒体に記録すべきファイルを決定する決定手段と、
前記複数の記録媒体の各々に対し、前記決定手段の決定に基づいて前記ファイルを記録する記録手段とを有することを特徴とするデータ処理装置。
【発明の詳細な説明】
【０００１】
【発明の属する技術分野】
本発明は、データ処理技術に関し、より具体的には、複数の記録媒体に記録されているファイルを容易に整理することの可能なデータ処理技術に関する。
【０００２】
【従来の技術】
近年、コンピュータ技術の発達と普及に伴い、情報のディジタル化が急速に進んでいる。特に、従来はテキストデータが主流であったが、装置の処理能力向上に伴い、静止画、動画など様々なデータがディジタル化され、取り扱われるようになってきている。
【０００３】
これらのディジタルデータは通常記憶容量あたりのコストが小さく、また大容量の記憶が可能な磁気記録媒体や光学記録媒体に記録されることが多いが、半導体メモリの低価格化、高容量化を背景として、特に小型化や耐久性が要求されるディジタルカメラや携帯情報端末（ＰＤＡ）等の機器においては、メモリカード等の着脱可能な半導体メモリが記録媒体として用いられることも多い。
【０００４】
また、パーソナルコンピュータ等のコンピュータ機器においても、データ交換やデータ運搬の手段として、メモリカードやカード型ディスクドライブ装置等の着脱可能な記録媒体が広く利用されるようになってきている。
【０００５】
【特許文献１】
特開２００１−１１１９２８号公報
【０００６】
【発明が解決しようとする課題】
このような着脱可能な記録媒体は非常に便利である反面、記録媒体の数が増えるとその整理が煩雑になると言う問題がある。
【０００７】
例えばディジタルカメラについて考えると、記録媒体は銀塩カメラにおけるフィルムに相当し、容量が一杯になった場合には撮影済みの画像を削除して空き容量を確保しない限り、新たな画像を撮影することはできない。また、近年は撮像素子数が非常に大きく、静止画像１枚あたりの容量が大きいほか、動画撮影機能を有する装置も多いため、メモリカードの容量は不足しがちである。そのため、一般的には複数の記録媒体を取り替えながら用いることになる。
【０００８】
また、同一の記録媒体をディジタルカメラで用いたり、コンピュータ装置で用いたりすることが可能であることから、記録媒体中には非常に多くの種類のファイルが存在しうる。
【０００９】
着脱可能な記録媒体に格納されたファイルの整理を容易にする技術として、例えば、特許文献１には、メモリカードに記憶された画像ファイル日付順にソートしてインデックスプリントを出力することで、メモリカード中の画像ファイルの整理を支援可能な画像データ処理装置が開示されている。
【００１０】
しかしながら、特許文献１記載の技術は、同一の記録媒体に記憶されたファイルを対象としたものである。そのため、整理したいファイルが複数の記録媒体に記録されている場合、ユーザが各記録媒体に記録されているファイルを確認し、整理したいファイルを１つの記録媒体にまとめる必要があり、手間と時間がかかるという問題が生じる。
【００１１】
本発明はこのような従来技術の問題点に鑑みなされたものであり、複数の記録媒体に記憶されているファイルを容易に整理可能とするデータ処理装置を提供することを目的とする。
【００１２】
【課題を解決するための手段】
すなわち、本発明の要旨は、複数の記録媒体の各々について、最大記録容量と、記録されているファイルに関する情報とを取得する情報取得手段と、ファイルに関する情報に基づいて、複数の記録媒体に記録されているファイルの記録順序を決定する並び替え手段と、記録順序と各記録媒体の最大記録容量とに基づいて、各記録媒体に記録すべきファイルを決定する決定手段と、複数の記録媒体の各々に対し、決定手段の決定に基づいてファイルを記録する記録手段とを有することを特徴とするデータ処理装置に存する。
【００１３】
【発明の実施の形態】
以下、添付図面を参照しながら本発明をその好適な実施形態に基づき詳細に説明する。
■（第１の実施形態）
図１は、本発明の第１の実施形態に係るデータ処理装置の構成例を示すブロック図である。
【００１４】
図１において、１は画像ファイルなどのデータを保持するための記憶装置（ストレージ）であり、例えばハードディスクドライブ等の大容量記憶装置である。２はファイルをソートする順番を決定するソート処理部、３はスロット４にセットされている記録媒体からデータを読み取るデータ検知再生部、４は複数の記録媒体８〜１２をセットすることが可能なスロット、５はユーザとのインタフェースとなる操作キー、６は例えばストレージ１又は図示しないＲＯＭ等に記憶されるプログラムを実行することによりデータ処理装置の各部を制御するＣＰＵ、７はスロット４にセットされている記録媒体８〜１２にデータを記録するデータ記録部、１３はＬＣＤなどの表示装置からなる表示部である。以上の１から７と１３でデータ処理装置を構成している。８、９、１０、１１、１２はメモリカードや磁気／光ディスクなどのランダムアクセス可能な記録媒体である。
【００１５】
なお、操作キー５は、単なるキーやボタンのみならず、マウス等のポインティングデバイスや、タッチパネル等、一般に使用される入力装置のいずれか１つ以上から構成されうる。
【００１６】
また、記録媒体８〜１２は物理的に異なる記録媒体であってもよいし、ハードディスクドライブにおけるパーティションのような論理的に区切られたボリュームであってもよい。
【００１７】
図２は、本実施形態に係るデータ処理装置におけるデータ処理を模式的に示す図である。
図２の（１）は、ぞれぞれ最大記録容量５００ＭＢの記録媒体８〜１２がデータ処理装置のスロット４にセットされている状態を示している。この状態において、記録媒体８にはＦＩＬＥ０００１．ＭＰＧ、ＦＩＬＥ０００２．ＭＰＧ、ＦＩＬＥ０００３．ＭＰＧのファイルが記録されている。同様に、
記録媒体９にはＦＩＬＥ０００４．ＭＰＧ、ＦＩＬＥ０００５．ＭＰＧ、ＦＩＬＥ０００６．ＪＰＧ、
記録媒体１０にはＦＩＬＥ０００７．ＭＰＧ、
記録媒体１１にはＦＩＬＥ０００８．ＪＰＧ、ＦＩＬＥ０００９．ＪＰＧ、
記録媒体１２にはＦＩＬＥ００１０．ＪＰＧ、ＦＩＬＥ００１１．ＭＰＧ、ＦＩＬＥ００１２．ＪＰＧ、
のファイルがそれぞれ記録されている。
【００１８】
図２（１）には、記録媒体８〜１２に記録されている各ファイルの時刻属性の一例としての記録日も併せて示されている。
後述するように、本実施形態に係るデータ処理装置は、スロット４にセットされた記録媒体に記憶されたファイルを日付でソートし、ソートした結果に基づいてファイルを再度記録する。
【００１９】
図２の（２）は、この処理が終わった状態を示しており、
記録媒体８にはＦＩＬＥ０００７．ＭＰＧ、ＦＩＬＥ０００８．ＪＰＧ、ＦＩＬＥ００１０．ＪＰＧ、
記録媒体９にはＦＩＬＥ０００１．ＭＰＧ、ＦＩＬＥ０００９．ＪＰＧ、ＦＩＬＥ０００２．ＭＰＧ、ＦＩＬＥ０００３．ＭＰＧ、
記録媒体１０にはＦＩＬＥ００１１．ＭＰＧ、ＦＩＬＥ００１２．ＪＰＧ、ＦＩＬＥ０００６．ＪＰＧ、
記録媒体１１にはＦＩＬＥ０００４．ＭＰＧ、ＦＩＬＥ０００５．ＭＰＧ、
記録媒体１２にはファイルなし、
となる。
【００２０】
また、データ処理装置は図２の（２）のような、ファイルの並び替え語の状態を表すイメージを表示画面１３に表示することが可能であり、これによってユーザがファイルの並べ替え後の状態を容易に把握することを可能にする。
【００２１】
次に、図３に示すフローチャートを用いて、本実施形態に係るデータ処理装置のファイル並び替え処理について説明する。
なお、以下の説明においては、データ処理装置のスロット４にＮ個（Ｎは１以上の自然数）の記録媒体がセットされているものとする。
【００２２】
まず、カウンタとしての変数ｎに１を代入する（Ｓ３０１）。次にデータ検知再生ブロック３は、スロット４にセットされているｎ番目の記録媒体について、最大記録容量（Ｓ３０２）及び、記録されているすべてのファイルのファイル名、記録日、ファイルサイズを取得する（Ｓ３０３）。
【００２３】
ｎに１を足し（Ｓ３０４）、ｎ＞Ｎが成立するか判断する（Ｓ３０５）。ＮＯならばＳ３０２に戻り、全ての記録媒体についてＳ３０２〜Ｓ３０３の処理を繰り返す。一方、Ｓ３０５でＹＥＳならばＮ個の記録媒体に記録されているすべてのファイルのファイル名、記録日、ファイルサイズを取得したことになる。
【００２４】
ソート処理部２は、取得した記録日によってすべてのファイルの並び順を決定する（Ｓ３０６）。そして、Ｓ３０６で決定した並び順と、Ｓ３０２で取得したＮ個の記録媒体それぞれの最大記録容量に基づいて、それぞれの記録媒体に記録するファイルを決定し、並べ替えリストを決定する（Ｓ３０７）。
【００２５】
Ｓ３０７で決定した並び替えリストによる並べ替えが可能か判断する（Ｓ３０８）。ＮＯならば並べ替えを実行せずに終了する。Ｓ３０８においては、例えば並び替えリストの順でファイルを記録した場合、続けて記録すべきファイルのファイルサイズと各記録媒体の最大記録容量との関係などにより、決定された順序を守ってＮ枚の記録媒体に書き込みきれない場合などを判定する。
【００２６】
Ｓ３０８において、ＹＥＳならば並べ替えリストに従ってデータ記録部７がファイルを記録し、処理を終了する（Ｓ３０９）。
【００２７】
Ｓ３０７における並び替え処理の方法は任意であるが、例えば以下の方法により実現できる。まず、データ検知再生部３により、記録媒体８〜１２に記憶されている全てのファイルを読み出し、ストレージ１に一旦書き込む。そして、ソート処理部２が決定した並び替えリストの順番で、データ記録部７により、各記録媒体８〜１２に新たに書き込む。この際、元に記録されていたファイルは消去してから書き込みを行うことは言うまでもない。
【００２８】
なお、ストレージ１に全てのファイルを読み出すのではなく、ソートの結果移動する必要のあるディスクのみストレージに読み出す構成でもよい。
【００２９】
なお、図３のＳ３０７〜Ｓ３０８では、各記録媒体の最大記録容量とＳ３０６で決定した順序に基づいて並び替えの可否を判定したが、この可否判定はＮが複数であり、かつ各記録媒体の最大記録容量が異なる場合には複数通りについて行っても良い。
【００３０】
すなわち、記録媒体８、９、１０、１１、１２（あるいはその逆）の順に記録していく場合のみならず、任意の順番で記録していく場合についても可否を判定するようにしても良い。換言すれば、スロット４にセットされた各記録媒体８〜１２の物理的な位置関係と、並び替えリストに従ってファイルを書き込む記録媒体の順序が一致していない場合を含めて判定を行っても良い。
【００３１】
記録媒体８、９、１０、１１、１２（あるいはその逆）の順に記録することと、並び替えて記録できることのどちらを優先するかをユーザに設定させ、設定に応じて切り替えるようにしても良い。
【００３２】
さらに、本実施形態ではＳ３０８において、Ｓ３０７で決定した並び替えリストによる並べ替えが可能か判断した結果が、ＮＯだった場合並べ替えを実行せずに終了したが、ユーザに並べ順を編集させて並べ替えを実行してもよい。また、本発明に係るデータ処理装置が並べ替えが可能な他の並び順をユーザに提供し、ユーザに選択させてもよい。
【００３３】
本実施形態によれば、複雑な編集作業をユーザにさせることなく、複数の記録媒体に記録されているファイル、及びファイルデータを日付順に並べ替えて記録しなおすことができるため、ファイルの整理が容易になる。
【００３４】
■（第２の実施形態）
第１の実施形態においては、ファイルの日付を条件にして並び替えを行っていたが、本実施形態においてはファイルの種類によって並び替えを行うことを特徴とする。
【００３５】
図４は、図２の（１）の状態にあるファイルに対して本実施形態に係るデータ処理装置のファイル並び替え処理を行った結果を模式的に示す図である。
本実施形態においては、ファイル名の拡張子（動画『．ＭＰＧ』と静止画『．ＪＰＧ』）によってファイルの種類を区別しているが、ファイルの種類を表す他の任意の属性（種類属性）に応じてファイルの種類を判別しても良い。
【００３６】
本実施形態に係るデータ処理装置の構成は第１の実施形態と共通で良く、また並び替え処理についても図３で説明した手順におけるＳ３０６で行う並び替え処理の内容が変更になるのみであるため、以下、本実施形態においてＳ３０６で行う並び替え処理についてのみ説明する。なお、ファイル名の拡張子以外の属性で種類分けを行う場合には、Ｓ３０３において当該属性の取得を行うことは言うまでもない。
【００３７】
まず、記録媒体８〜１２に記録されたファイルを、その種類で分類し、記録する記録媒体を分けるデータ処理を行う。図４において、まずＦＩＬＥ０００１からＦＩＬＥ００１２のファイルを動画と静止画のファイルに分けると
動画ファイルはＦＩＬＥ０００１．ＭＰＧ、ＦＩＬＥ０００２．ＭＰＧ、ＦＩＬＥ０００３．ＭＰＧ、ＦＩＬＥ０００４．ＭＰＧ、ＦＩＬＥ０００５．ＭＰＧ、ＦＩＬＥ０００７．ＭＰＧ、ＦＩＬＥ００１１．ＭＰＧである。
静止画ファイルはＦＩＬＥ０００６．ＪＰＧ、ＦＩＬＥ０００８．ＪＰＧ、ＦＩＬＥ０００９．ＪＰＧ、ＦＩＬＥ００１０．ＪＰＧ、ＦＩＬＥ００１２．ＪＰＧである。
【００３８】
次に、ファイルサイズの小さい静止画ファイルの記録する記録媒体を決定する。上述したように記録媒体８〜１２はいずれも５００ＭＢの最大記録容量を有するため、静止画ファイルは任意の１つの記録媒体にまとめて記録可能である。ここでは、記録媒体１２に全静止画ファイルを記録することにし、動画ファイルは残りの記録媒体８、９、１０、１１の最大記録容量で区切った並べ替えリストで並べ替えを行うと、図４に示すように、
記録媒体８にはＦＩＬＥ０００１．ＭＰＧ、ＦＩＬＥ０００２．ＭＰＧ、ＦＩＬＥ０００３．ＭＰＧ、
記録媒体９にはＦＩＬＥ０００４．ＭＰＧ、ＦＩＬＥ０００５．ＭＰＧ、
記録媒体１０にはＦＩＬＥ０００７．ＭＰＧ、
記録媒体１１にはＦＩＬＥ００１１．ＭＰＧ、
記録媒体１２にはＦＩＬＥ０００６．ＪＰＧ、ＦＩＬＥ０００８．ＪＰＧ、ＦＩＬＥ０００９．ＪＰＧ、ＦＩＬＥ００１０．ＪＰＧ、ＦＩＬＥ００１２．ＪＰＧ
という記録を行うための並び替えリストが決定される。
【００３９】
また、ファイルの種類で分けたあとに第１の実施形態で行ったような日付情報に基づく並べ替えを行ったり、ＧＰＳ情報、ファイル名などの他の付加情報でさらに並べ替え処理を行って並べ替えリストを決定してもよい。
また、記録ファイルがない記録媒体が増える（記録領域が大きく取れる）ような並べ替えリストを決定してもよい。
【００４０】
本実施形態によれば、第１の実施形態と同様、複雑な編集作業をユーザにさせることなく、複数の記録媒体に記録されているファイルをファイルの種類毎に並べ替えて記録しなおすことができるため、ファイルの整理が容易になる。また、第１の実施形態と組み合わせるなど、他の条件でも並び替えが可能である。
【００４１】
■（第３の実施形態）
第１及び第２の実施形態では、複数の記録媒体に記録されたファイルが固有のファイル名を有していたが、異なる記録媒体に同一名のファイルが存在することも考えられ、この場合には同一の記録媒体に書き込みすべきファイルに同一名のファイルが複数含まれる状況が発生しうる。本実施形態はこのような場合を考慮したものである。
【００４２】
なお、以下、本実施形態における並び替え処理は第１の実施形態と同様にファイルの記録日で行う場合を例として説明するが、第２の実施形態で説明したような種類による分類やそれらの組み合わせに基づく並び替え処理にも適用可能であることは言うまでもない。
【００４３】
図５の（１）に、並び替え処理前の各記録媒体８〜１２に記録されたファイルの状態を示す。
本実施形態に係るデータ処理装置も上述の実施形態と同様、図１に示した構成を有する。また、スロット４にセットされた記録媒体８〜１２はそれぞれ最大記録容量５００ＭＢであるとする。
【００４４】
図５（１）の状態では、
記録媒体８にはＦＩＬＥ０００１．ＭＰＧ、ＦＩＬＥ０００２．ＭＰＧ、ＦＩＬＥ０００３．ＭＰＧ、
記録媒体９にはＦＩＬＥ０００４．ＭＰＧ、ＦＩＬＥ０００５．ＭＰＧ、ＦＩＬＥ０００６．ＪＰＧ、
記録媒体１０にはＦＩＬＥ０００１．ＭＰＧ、
記録媒体１１にはＦＩＬＥ０００８．ＪＰＧ、ＦＩＬＥ０００６．ＪＰＧ、
記録媒体１２にはＦＩＬＥ００１０．ＪＰＧ、ＦＩＬＥ００１１．ＭＰＧ、ＦＩＬＥ０００６．ＪＰＧ、
のファイルが記録されており、記録媒体８と記録媒体１０にファイル名がＦＩＬＥ０００１．ＪＰＧのそれぞれ内容が異なるファイルが記録されている。また記録媒体９と記録媒体１１、記録媒体１２にファイル名ＦＩＬＥ０００６．ＪＰＧのそれぞれ内容が異なるファイルが記録されている。
【００４５】
次に、本実施形態における並び替え処理について説明する。本実施形態においても、基本的な処理の流れは第１の実施形態で説明した図３のフローチャートと同一であり、Ｓ３０６及びＳ３０７における並び順決定処理及び記録先媒体の決定処理の内容のみが異なるため、以下の説明ではこれら本実施形態に特有な処理についてのみ説明する。
【００４６】
まず、第１の実施形態で説明したように、それぞれのファイルの記録日に基づいて時系列に並び順を決定し、次にそれぞれの記録媒体の最大記録容量で、それぞれのファイルが記録される記録媒体を決定し並べ替えリストを決定する。このリストと書き込み先の記憶媒体との関係を図５の（２）に示す。
【００４７】
ここで各記憶媒体に記録されるファイルのファイル名を見ると、記録媒体８と記録媒体１０に存在していたファイル名ＦＩＬＥ０００１．ＪＰＧの２つのファイルは、異なる記録媒体に記録されることになるため問題無いが、記録媒体９と記録媒体１１、記録媒体１２に存在していたファイル名ＦＩＬＥ０００６．ＪＰＧの３つのファイルのうち２つが記録媒体１０に記録すべきファイルに含まれていることがわかる。
【００４８】
このような場合、本実施形態におけるソート処理部２は、同一記録媒体に記録すべき同一名のｍ個のファイル（ｍ≧２）のうち、（ｍ−１）個のファイルのファイル名を変更する。ファイル名を変更するファイルをどのように選ぶかは任意に定めることができるが、本実施形態では例えば記録日の新しい方のＦＩＬＥ０００６．ＪＰＧのファイル名を変更する。すなわち、図５では、記録日２００２／０５／１０のＦＩＬＥ０００６．ＪＰＧを、ＲＦＩＬ０００６．ＪＰＧに変更している。
【００４９】
このようなファイル名変更処理を行った後の並び替えリストを図５の（３）に示す。このように、同一記録媒体内でファイル名が重複しないようにしてから、Ｓ３０８、Ｓ３０９の処理結果に従って書き込みする。
【００５０】
ファイル名を変更した場合、データ処理装置は、ファイル名を変更したことを表示部１３にメッセージ表示する等の方法でユーザに通知することが可能である。
【００５１】
本実施形態では、一つの記録媒体に同一ファイル名のファイルを複数記録したい場合、データ処理装置がユーザに意識させることなくファイル名を変更したが、同じファイル名があることをユーザに警告してもよいし、名前を変更するファイル名をユーザに選択させてもよい。
【００５２】
本実施形態では、一つの記録媒体に同一ファイル名のファイルを複数記録したい場合、ファイル名を変更せずに同一ファイル名のない記録媒体に記録するデータ処理を行うようにしてもよい。例えば、図５（２）の場合、記録日の後のＦＩＬＥ０００６．ＪＰＧから記録媒体１１へ記録するようにすればよい。
【００５３】
本実施形態では、一つの記録媒体に同一ファイル名のファイルを複数記録したい場合のみファイル名を変更したが、記録先の記録媒体が同一か否かにかかわらず、ファイル名が重複しないようにファイル名を変更してもよい。
【００５４】
本発明の第３の実施形態によれば、本発明のデータ処理を実行し、一つの記録媒体に同一ファイル名のファイルを複数記録したい場合、ファイル名を変更することで記録媒体への記録が可能になる。また、ファイル名の変更をユーザに通知することでファイル名が変更されたことをユーザは確認できる。
なお、第３の実施形態は第１及び第２の実施形態と組み合わせて実施することが可能である。
【００５５】
【他の実施形態】
上述の実施形態においては、１つの機器から構成されるデータ処理装置についてのみ説明したが、同等の機能を複数の機器から構成されるシステムによって実現しても良い。
【００５６】
尚、前述した実施形態の機能を実現するソフトウェアのプログラムを、記録媒体から直接、或いは有線／無線通信を用いて当該プログラムを実行可能なコンピュータを有するシステム又は装置に供給し、そのシステム或いは装置のコンピュータが該供給されたプログラムを実行することによって同等の機能が達成される場合も本発明に含む。
【００５７】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００５８】
その場合、プログラムの機能を有していれば、オブジェクトコード、インタプリタにより実行されるプログラム、ＯＳに供給するスクリプトデータ等、プログラムの形態を問わない。
【００５９】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等の光／光磁気記憶媒体、不揮発性の半導体メモリなどがある。
【００６０】
有線／無線通信を用いたプログラムの供給方法としては、コンピュータネットワーク上のサーバに本発明を形成するコンピュータプログラムそのもの、もしくは圧縮され自動インストール機能を含むファイル等、クライアントコンピュータ上で本発明を形成するコンピュータプログラムとなりうるデータファイル（プログラムデータファイル）を記憶し、接続のあったクライアントコンピュータにプログラムデータファイルをダウンロードする方法などが挙げられる。この場合、プログラムデータファイルを複数のセグメントファイルに分割し、セグメントファイルを異なるサーバに配置することも可能である。
【００６１】
つまり、本発明の機能処理をコンピュータで実現するためのプログラムデータファイルを複数のユーザに対してダウンロードさせるサーバ装置も本発明に含む。
【００６２】
また、本発明のプログラムを暗号化してＣＤ−ＲＯＭ等の記憶媒体に格納してユーザに配布し、所定の条件を満たしたユーザに対して暗号化を解く鍵情報を、例えばインターネットを介してホームページからダウンロードさせることによって供給し、その鍵情報を使用することにより暗号化されたプログラムを実行してコンピュータにインストールさせて実現することも可能である。
【００６３】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００６４】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現され得る。
【００６５】
【発明の効果】
以上説明したように、本発明によれば、複数の記録媒体に記録されているファイルをその属性や付加情報など所定の条件に基づいて自動的に並び替え、並び替えた順序で再度複数の記録媒体へ格納することにより、ユーザが複雑な編集作業を行うことなくファイルの整理を行うことが可能になる。
【図面の簡単な説明】
【図１】本発明の実施形態に係るデータ処理装置の構成例を示すブロック図である。
【図２】第１の実施形態における並び替え処理を説明する模式図である。
【図３】第１の実施形態における並び替え処理を説明するフローチャートである。
【図４】第２の実施形態における並び替え処理を説明する模式図である。
【図５】第３の実施形態における並び替え処理を説明する模式図である。
【図１】
2004287788.tif 000003
【図２】
2004287788.tif 000004
【図３】
2004287788.tif 000005
【図４】
2004287788.tif 000006
【図５】
2004287788.tif 000007